(57)【要約】【課題】コンクリート改質剤の散布作業を容易かつ効率良く行うことができ、固化前のコンクリート床面の平面性を失うこともない、散布機を提供する。【解決手段】散布機１０は、固化前のコンクリート床面上を転動可能な回転体である複数のローラ１１を有する台車部１２と、コンクリート改質剤を貯留するため台車部１２に搭載されたタンク１３と、タンク１３内のコンクリート改質剤をコンクリート床面に向かって放出するためのノズル１４と、を備えている。複数のローラ１１は、それぞれの周壁１１ａに複数の貫通孔１１ｂを有する円筒状をなし、それぞれの中心軸と同軸上に設けられた支軸を介して台車部１２に回転自在に取り付けられている。複数のローラ１１は、互いに平行をなすとともに、台車部１２の進行方向（矢線Ｄ方向）と直角をなすように配置されている。【選択図】図１
2013064303.tif 000002
【特許請求の範囲】
【請求項１】
固化前のコンクリート床面上を転動可能な回転体を有する台車部と、コンクリート改質剤を貯留するため前記台車部に搭載されたタンクと、前記タンク内のコンクリート改質剤を前記コンクリート床面に向かって放出するためのノズルと、を備えたことを特徴とする散布機。
【請求項２】
前記回転体として、周壁に複数の貫通孔を有する円筒状のローラを設けた請求項１記載の散布機。
【発明の詳細な説明】
【技術分野】
【０００１】
本発明は、鉄筋コンクリート建築物や構造体などのコンクリート床面の施工工程において、固化前のコンクリート床面に表面強化剤あるいは着色剤などの各種コンクリート改質剤を散布する際に使用する散布機に関する。
【背景技術】
【０００２】
本出願人は、特願２０１０−２８１７９５において、固化前のコンクリート床面に生じたレイタンスを所定の粗化作業を行って分断、破砕した後、コンクリート改質剤を散布して仕上げ作業を施すことにより、固化後のコンクリート床面の脆化や剥離を防止する施工技術を提案している。この施工技術において、コンクリート改質剤の散布作業はジョウロなどの散水器具を用いて行っている。
【０００３】
一方、固化前のコンクリート床面に液体状の硬化剤を散布する作業を行うための液体散布装置が提案されている（例えば、特許文献１参照。）。
【先行技術文献】
【特許文献】
【０００４】
【特許文献１】実開平７−１１９３号公報
【発明の概要】
【発明が解決しようとする課題】
【０００５】
ジョウロなどの散水器具を用いた散布作業は一人の作業者で散布できる範囲が限られているため、大型商業施設など面積の広いコンクリート床面に散布する場合には不向きである。
【０００６】
一方、特許文献１記載の液体散布装置は、一人の作業者がジョウロを用いて散布する場合より広い範囲に散布できるので、作業効率は高いが、散布作業中、コンクリート床面上を摺動していくタンピング機の底面と固化前のコンクリート床面との密着性が良好であるため、タンピング機の底面がコンクリート床面に吸い付いた状態になり易い。このため、コンクリート床面上を摺動していくタンピング機の底面によってコンクリート床面の表層部が剥がされたり、掻き寄せられたりして、不陸が生じ、コンクリート床面の平面性が失われることがある。
【０００７】
本発明が解決しようとする課題は、コンクリート改質剤の散布作業を容易かつ効率良く行うことができ、固化前のコンクリート床面の平面性を失うこともない、散布機を提供することにある。
【課題を解決するための手段】
【０００８】
本発明の散布機は、固化前のコンクリート床面上を転動可能な回転体を有する台車部と、コンクリート改質剤を貯留するため前記台車部に搭載されたタンクと、前記タンク内のコンクリート改質剤を前記コンクリート床面に向かって放出するためのノズルと、を備えたことを特徴とする。
【０００９】
このような構成とすれば、タンク内のコンクリート改質剤をノズルからコンクリート床面に放出させながら回転体の転動方向に沿って台車部を移動させていくことにより、コンクリート改質剤の散布作業を容易かつ効率良く行うことができる。また、コンクリート床面を転動していく回転体を介して台車部が移動する方式としたことにより、固化前のコンクリート床面と回転体との密着を抑制することができるため、コンクリート床面の表層部が剥がされたり、掻き寄せられたりすることがなく、コンクリート床面の平面性が失われることもない。
【００１０】
また、前記回転体として、周壁に複数の貫通孔を有する円筒状のローラを設けることが望ましい。
【００１１】
このような構成とすれば、固化前のコンクリート床面に対する回転体からの押圧力を分散させることができ、回転体であるローラと固化前のコンクリート床面との密着をさらに抑制することができるので、コンクリート床面の平面性の維持に有効である。
【発明の効果】
【００１２】
本発明により、コンクリート改質剤の散布作業を容易かつ効率良く行うことができ、固化前のコンクリート床面の平面性を失うこともない、散布機を提供することができる。
【図面の簡単な説明】
【００１３】
【図１】本発明の実施形態である散布機を示す斜視図である。
【図２】図１のＡ−Ａ線における一部省略断面図である。
【発明を実施するための形態】
【００１４】
図１に示すように、本実施形態の散布機１０は、固化前のコンクリート床面Ｆ上を転動可能な回転体である複数のローラ１１を有する台車部１２と、コンクリート改質剤Ｃを貯留するため台車部１２に搭載されたタンク１３と、タンク１３内のコンクリート改質剤Ｃをコンクリート床面Ｆに向かって放出するためのノズル１４と、を備えている。
【００１５】
複数のローラ１１は、それぞれの周壁１１ａに複数の貫通孔１１ｂを有する円筒状をなし、それぞれの中心軸と同軸上に設けられた支軸１５を介して台車部１２に回転自在に取り付けられている。複数のローラ１１は、互いに平行をなすとともに、台車部１２の進行方向（矢線Ｄ方向）と直角をなすように配置されている。
【００１６】
台車部１２の略中央部分には、リング状をした上下２段の保持部材２２，２３と、これらの保持部材２２，２３を支える複数の支柱２１と、で形成された架台２０が設けられている。下段側の保持部材２３の内周領域には、複数の帯状保持材２３ａが互いに交差した状態で設けられている。タンク１３はその底面を帯状保持材２３ａに載置した状態で、架台２０上に着脱可能に保持されている。タンク１３の上面開口部には開閉可能な蓋体１３ａが装着されているため、蓋体１３ａを開いて、コンクリート改質剤Ｃの補給を行うことができる。
【００１７】
タンク１３内のコンクリート改質剤Ｃをノズル１４に供給するため、タンク１３の底面からノズル１４の長手方向の中央部分にホース２４が配管され、ホース２４の途中に開閉弁２５が設けられている。台車部１２の後方に取り付けられたコ字状の操作ハンドル２６に取り付けられた操作レバー２７を起伏操作することにより、ワイヤ２８を介して開閉弁２５が開閉され、コンクリート改質剤Ｃの供給・停止及び供給量の増減調節を行うことができる。
【００１８】
ノズル１４は、円管体１４ａとその長手方向に所定間隔ごとに開設された複数の貫通孔１４ｂとで構成され、貫通孔１４ｂを下に向けた姿勢で、台車部１２の前方に平面視状態で円管体１４ａとローラ１１とが平行をなすように配置されている。また、円管体１４ａは、その中央部１４ｃから左右の端部１４ｄに向かってそれぞれ下り勾配をなすように形成されている。
【００１９】
図２に示すように、固化前のコンクリート床面Ｆ上に散布機１０を載置し、操作レバー２７（図１参照）を操作して、開閉バルブ２５の開度を調節し、タンク１３からノズル１４へ供給されるコンクリート改質剤Ｃの流量を適度に設定した後、操作ハンドル２６を持って矢線Ｄ方向に引っ張ると、ローラ１１が転動しながら、台車部１２を含む散布機１０全体がコンクリート床面Ｆ上を移動する。このとき、ノズル１４から放出されるコンクリート改質剤Ｃが、複数のローラ１１が通過した後のコンクリート床面Ｆに向かって散布される。
【００２０】
このように、タンク１３内のコンクリート改質剤Ｃをノズル１４からコンクリート床面Ｆに向かって放出させながらローラ１１の転動方向に沿って台車部１２を移動させていくという簡単な操作により、コンクリート改質剤Ｃの散布作業を容易かつ効率良く行うことができる。また、コンクリート床面Ｆ上を転動していくローラ１１を介して台車部１２が移動する方式としたことにより、固化前のコンクリート床面Ｆとローラ１１との密着を抑制することができるため、コンクリート床面Ｆの表層部が剥がされたり、掻き寄せられたりすることがなく、コンクリート床面Ｆの平面性が失われることもない。
【００２１】
また、ローラ１１は、周壁１１ａに複数の貫通孔１１ｂを有する円筒状であるため、固化前のコンクリート床面Ｆに対するローラ１１からの押圧力はその長手方向に分散される結果、ローラ１１と固化前のコンクリート床面Ｆとの密着が生じ難く、コンクリート床面Ｆの平面性の維持に有効である。固化前のコンクリート床面Ｆ上を転動可能な回転体はローラ１１に限定しないので、例えば、車輪、円筒体あるいは円柱体などを採用することもできる。
【００２２】
散布機１０の用途は限定しないので各種散布作業に広く使用することができるが、例えば、本出願人が特願２０１０−２８１７９５にて提案している施工技術（固化前のコンクリート床面に生じたレイタンスを所定の粗化作業を行って分断、破砕した後、コンクリート改質剤を散布して仕上げ作業を施すことにより、固化後のコンクリート床面の脆化や剥離を防止する施工技術）におけるコンクリート改質剤の散布作業に好適に使用することができる。
【００２３】
また、散布機１０は、タンク１３内に貯留された液体状のコンクリート改質剤Ｃをノズル１４から散布することができるが、本発明はこれに限定するものではないので、タンク１３内からホース２４を介してノズル１４から放出可能な性状の薬剤であれが、例えば、粉粒状、顆粒状あるいは流動状の薬剤やペイントなどの散布を行うこともできる。
【００２４】
さらに、散布機１０において、ノズル１４の前方側（矢線Ｄと反対側）に、コンクリート改質剤Ｃなどが散布された後のコンクリート床面Ｆに接触した状態で台車部１２とともに移動するローラ、吸液性多孔体（スポンジなど）、モップあるいは布状体など（図示せず）、改質剤を床面方向に広げたり、均一化したりする機能を有する部材を設けることもできる。このような構成とすれば、ノズル１４からコンクリート床面Ｆに散布されたコンクリート改質剤Ｃなどを速やかに均等に分布した状態にすることができる。
【００２５】
図１，図２に示す散布機１０は、本発明の一例を示すものであり、本発明に係る散布機は散布機１０に限定されるものではない。
【産業上の利用可能性】
【００２６】
固化前のコンクリート床面に表面強化剤あるいは着色剤などの各種コンクリート改質剤を散布する作業用の機器として建設業などの分野において広く利用することができる。
【符号の説明】
【００２７】
１０  散布機
１１  ローラ
１２  台車部
１３  タンク
１３ａ  蓋体
１４  ノズル
１４ａ  円管体
１４ｂ  貫通孔
１５  支軸
２０  架台
２１  支柱
２２，２３  保持部材
２３ａ  帯状保持体
２４  ホース
２５  開閉弁
２６  操作ハンドル
２７  操作レバー
２８  ワイヤ
Ｃ  コンクリート改質剤
Ｆ  コンクリート床面
【図１】
2013064303.tif 000003
【図２】
2013064303.tif 000004